(57)【要約】【課題】上部旋回体に配される収納室を、上部旋回体の外側面を覆う開閉自在な側面カバーで開閉できるように構成してなる建設機械において、収納室に収納される機器類のメンテナンス等を行う場合に作業員が把持するための手摺りを設けるにあたり、手摺りが周辺物や作業員に当たって邪魔になったり、収納室のスペースが狭くなったりする不具合を回避する。【解決手段】収納室１０内に、第一手摺り１７を設ける一方、収納室１０の天井部２１の外周縁部を形成する部材を、第二手摺り２２に構成した。【選択図】        図７
2004190276.tif 000002
【特許請求の範囲】
【請求項１】
走行体の上方に支持される機体に配設の収納室を、機体の外側面を覆う開閉自在な側面カバーで開閉できるように構成してなる建設機械において、前記収納室内に、側面カバーを開放した状態で把持するための手摺りを設けたことを特徴とする建設機械における手摺り。
【請求項２】
走行体の上方に支持される機体に配設の収納室を、機体の外側面を覆う開閉自在な側面カバーで開閉できるように構成してなる建設機械において、前記収納室の上方を覆う天井部の機体外方側縁部に、側面カバーを開放した状態で把持するための手摺りを、天井部の外周縁部よりも機体外方に突出しない状態で設けたことを特徴とする建設機械における手摺り。
【請求項３】
請求項２において、天井部の外周縁部を形成する部材を手摺りに構成したことを特徴とする建設機械における手摺り。
【請求項４】
請求項２、３の何れかにおいて、天井部の一部を、手摺りを把持できるように切欠いたことを特徴とする建設機械における手摺り。
【請求項５】
請求項１、２、３、４の何れかにおいて、手摺りは、地上から把持できる位置に設けられていることを特徴とする建設機械における手摺り。
【請求項６】
請求項１、２、３、４、５の何れかにおいて、手摺りは、走行体を構成するクローラ上面、あるいは走行体に設けられる昇降ステップに乗った状態で把持できる位置に設けられていることを特徴とする建設機械における手摺り。
【発明の詳細な説明】
【０００１】
【発明の属する技術分野】
本発明は、油圧ショベル等の建設機械において、メンテナンス時等に作業員が把持するための建設機械における手摺りの技術分野に属するものである。
【０００２】
【従来の技術】
一般に、油圧ショベル等の建設機械の上部旋回体に設けられる収納室には、エンジン、油圧ポンプ、ラジエータやオイルクーラー等の各種装置機械類が収納され、さらにこれら装置機械類の周辺スペースには、エアクリーナやフィルタ、リザーブタンク等のエンジン関連補器類、バルブ、ドレンコック等の油圧機器類、バッテリやコントローラ、リレーボックス等の電気電子機器類など、様々な機器が配されている。これら機器の多くは、定期的あるいは必要に応じて点検、清掃、部品交換、修理等のメンテナンスが必要であり、そこで、例えば、収納室の側面を構成する上部旋回体の外側面を開閉自在な側面カバーで形成し、該側面カバーを開放することでメンテナンスを行えるように構成されている。
ところで、前記側面カバーを開放してメンテナンスを行う場合、メンテナンスする機器が地上から手の届く位置であれば、作業員は地上にいるままメンテナンス作業を行うことができるが、機器が手の届かない位置にあると、作業員は、下部走行体を構成するクローラ、あるいは下部走行体に設けられる昇降ステップに昇った不安定な姿勢でメンテナンス作業を行わなければならない。
そこで、従来、収納室の天井部の外側縁部に手摺りを設け、該手摺りをメンテナンス等を行う作業員が把持できるようにしたものが提唱されている（例えば、特許文献１参照。）。また、油圧ショベル等の建設機械に設けられる手摺りとしては、作業員が運転室の乗り込む際に把持できるように、上部旋回体の旋回フレームの側面に昇降用手摺りを突設したものも知られている（例えば、特許文献２参照。）。
【０００３】
【特許文献１】
特開平１０−２９２４２９号公報
【特許文献２】
特開平１０−１５７９７８号公報
【０００４】
【発明が解決しようとする課題】
ところで、前述したような手摺りは、上部旋回体の側面から突出していると、旋回半径を大きくする原因となったり、作業や歩行の邪魔になったりする惧れがある。このため、特許文献１のものでは、収納室の外側面を形成する側面カバーの上部を機体内方に向けて大きく湾曲させ、該湾曲部の上部位置に手摺りを配設しているが、この様にすると、湾曲部の分だけ収納スペースが狭くなって、収納室に収納される装置機器類のレイアウトに制約が生じるという問題がある。また、特許文献２の手摺りは、旋回フレームの側面に突設されているため、突出量を少なく設定しても、周辺物や作業員に当たりやすく邪魔になるという問題がある。さらに、旋回フレームの側面に設けた手摺りはクローラ上面に近接するから、手摺りとクローラ上面との間隔を少しばかり広く設定しても、クローラに付着した泥等が把手に付着しやすく、作業員が把手を把持しようとしたときに把持しずらいという問題があり、これらに本発明が解決しようとする課題があった。
【０００５】
【課題を解決するための手段】
本発明は、上記の如き実情に鑑み、これらの課題を解決することを目的として創作されたものであって、走行体の上方に支持される機体に配設の収納室を、機体の外側面を覆う開閉自在な側面カバーで開閉できるように構成してなる建設機械において、前記収納室内に、側面カバーを開放した状態で把持するための手摺りを設けたものである。
そして、この様にすることにより、側面カバーを開放してメンテナンス等を行う場合に、メンテナンス作業や昇降を安定した姿勢で容易に行うことができると共に、手摺りが周辺物や作業員に当たって邪魔になったり、クローラに付着した泥等が手摺りに付いてしまうような不具合を、確実に回避できる。
また、本発明は、走行体の上方に支持される機体に配設の収納室を、機体の外側面を覆う開閉自在な側面カバーで開閉できるように構成してなる建設機械において、前記収納室の上方を覆う天井部の機体外方側縁部に、側面カバーを開放した状態で把持するための手摺りを、天井部の外周縁部よりも機体外方に突出しない状態で設けたものである。
そして、この様にすることにより、側面カバーを開放してメンテナンス等を行う場合に、メンテナンス作業や昇降を安定した姿勢で容易に行うことができると共に、手摺りが周辺物や作業員に当たって邪魔になったり、手摺りの配設スペースを確保するために収納室のスペースが狭くなってしまうような不具合を、確実に回避できる。
このものにおいて、天井部の外周縁部を形成する部材を手摺りに設定することにより、専用の手摺り用部材を別途用意する必要もなく、また手摺りの取付け部品も取付け作業も不要であって、コスト的に有利である。
また、天井部の一部を、手摺りを把持できるように切欠くことにより、天井部の外周縁部よりも機体外方に突出しない状態で手摺りを設けることができる。
さらに、前記手摺りは、地上から把持できる位置、または走行体を構成するクローラ上面、あるいは走行体に設けられる昇降ステップに乗った状態で把持できる位置に設けると、有用である。
【０００６】
【発明の実施の形態】
次に、本発明の実施の形態を図面に基づいて説明する。図面において、１は油圧ショベルであって、該油圧ショベル１は、クローラ式の下部走行体２、該下部走行体２に旋回自在に支持される上部旋回体（本発明の機体に相当する）３、該上部旋回体３に装着されるフロントアタッチメント４等の各部から構成されている。
【０００７】
前記上部旋回体３は、本実施の形態では、前側中央部にフロントアタッチメント４の基端部が装着されており、該フロントアタッチメント４の左方にはキャブ５が配され、またフロントアタッチメント４の右方にはバルブ等の機器類（図示せず）やペール缶、工具等が収納される収納室６が配され、さらに該収納室６の後方には燃料タンク７および作動油タンク８が配されている。また、上部旋回体３の後側中央部には、エンジンが収納されるエンジン室９が配されており、該エンジン室９の左方には、ラジエータやオイルクーラー等の冷却器（図示せず）が収納される左側収納室１０が配され、またエンジン室９の右方には油圧ポンプ（図示せず）が収納される右側収納室１１が配されているが、これら左右の収納室１０、１１には、さらに、エアクリーナやフィルタ、リザーブタンク等のエンジン関連補器類や、バルブ、ドレンコック等の油圧機器類、あるいはバッテリ、コントローラ、リレーボックス等の電気電子機器類等の各種機器（何れも図示せず）が収納されている。さらに、前記エンジン室９および左右の収納室１０、１１の後方には、カウンタウエイト１２が取付けられている。
【０００８】
扨、前記左右の収納室１０、１１は左右外方側が開口１０ａ、１１ａしており、該開口１０ａ、１１ａは、上部旋回体３の外側面を構成する左右の側面カバー１３、１４によって開閉自在に覆われている。この左右の側面カバー１３、１４は、その前端部が左右の収納室１０、１１の前側左右外端部に立設される前フレーム１５、１６に左右外方側に開閉自在に蝶着された開き戸タイプのものであって、該側面カバー１３、１４を開くことにより左右の収納室１０、１１の左右外方側が開口１０ａ、１１ａし、ここから収納室１０、１１に収納される各種機器類の点検、清掃、部品交換、修理等のメンテナンスを行うことができるようになっている。
【０００９】
一方、左側収納室１０の後側には、前述したようにカウンタウエイト１２が配されていて、該カウンタウエイト１２の前面部によって左側収納室１０の後面部が形成されているが、該左側収納室１０の後面部には、開口１０ａの近傍部位に、左側収納室１０内に収納される状態で、後述する左側第一手摺り１７の取付ブロック１７ａがボルト１８を介して取り付けられている。また、右側収納室１１の前側右端部に立設される前述の前フレーム１６には、開口１１ａの近傍部位に、右側収納室１１内に収納される状態で、後述する右側第一手摺り１９の取付ブロック１９ａがボルト２０を介して取り付けられている。
【００１０】
前記左側、右側の第一手摺り１７、１９は、機体側（本実施の形態では、前述したようにカウンタウエイト１２、右側収納室１１の前フレーム１６）にボルト１８、２０止めされる取付ブロック１７ａ、１９ａと、該取付ブロック１７ａ、１９ａに基端側が溶接により固着される逆Ｌ字形状のパイプ状の掴み部１７ｂ、１９ｂと、該掴み部１７ｂ、１９ｂの先端側に固着される受部１７ｃ、１９ｃとを用いて構成されている。そして、上記掴み部１７ｂ、１９ｂは、上部旋回体３の架台フレームに対して略垂直状に設けられていると共に、前記側面カバー１３、１４を開放した状態で地上にいる作業員が把持しやすい位置に設けられていて、作業員が地上から届く位置にある収納室１０、１１内の機器類のメンテナンス作業を行う場合、あるいは地上から届かない位置にある機器類のメンテナンス作業を行うべくクローラ２５の上面や昇降ステップ２６を昇降する場合等に、第一手摺り１７、１９の掴み部１７ｂ、１９ｂを把持することにより、安定した姿勢でのメンテナンス作業や昇降を行える構成になっている。
尚、図９（Ｃ）、（Ｄ）に示すごとく、取付ブロック１７ａ、１９ａに対する掴み部１７ｂ、１９ｂの溶接による固着の位置、角度等は、機体側への取付ブロック１７ａ、１９ａの取付状態に対応させて適宜設定することができる。
【００１１】
一方、２１は左側収納室１０の上方を覆う左側天井部であって、該左側天井部２１は、外周部を形成する枠部２１ａと、該枠部２１ａの内周側に互いに間隔を存する状態で組付けられる前後方向を向いた複数の桟部２１ｂとから形成されていて、左側収納室１０に収納されているラジエータ等の冷却器を冷却するための冷却風の流通路となっているが、上記枠部２１ａのうち左側天井部２１の左側外周縁部を形成する部位はパイプ状に形成されていて、作業員が把持するための左側第二手摺り２２に構成されている。つまり、左側天井部２１の左側外周縁部を形成する部材がそのまま左側第二手摺り２２になっているが、該左側第二手摺り２２は、左側面カバー１３を閉じた状態では、該左側面カバー１３の外側面よりも機体外方に突出しない設計になっている。
【００１２】
また、２３は右側収納室１１の上方を覆う右側天井部であって、該右側天井部２３は、カウンタウエイト１２の天面板１２ａを延設して形成されている。この右側天井部２３の右側外縁部には、作業員が手を差し込むことができる切欠き部２３ａが形成されていると共に、該切欠き部２３ａの右側外縁部には、右側天井部２３の外周縁部から機体外方に突出しない状態で、作業員が把持するためのパイプ状の右側第二手摺り２４が取り付けられている。そしてこの右側第二手摺り２４は、右側面カバー１４を閉じた状態では、該右側面カバー１４の外側面よりも外方に突出しない設計になっている。
尚、本実施の形態において、右側天井部２３に形成される切欠き部２３ａは、外縁側が開口した状態となっていて、該開口側に右側第二手摺り２３が取り付けられているが、この様に第二手摺りを別途取り付けるのではなく、外縁部を残した状態で切欠き部を形成し、該残った外縁部をそのまま第二手摺りとすることもできる。この場合には、第二手摺りの外周部を例えばパイプ状部材で覆うことにより、作業員が把持しやすくなると共に、補強にもなる。
【００１３】
而して、前記左側、右側の第二手摺り２２、２４は、左右の収納室１０、１１の開口１０ａ、１１ａの上方に位置すると共に、上部旋回体３の旋回フレームに対して略水平状となるように設けられている。そして、側面カバー１３、１４を開放した状態で、下部走行体２を構成するクローラ２５の上面あるいは下部走行体２の側面フレーム２ａに取付けられる昇降ステップ２６に乗った作業員が、この左側、右側の第二手摺り２２、２４を把持することにより、収納室１０、１１内の機器類のメンテナンス作業等を安定した姿勢で行える構成になっている。
尚、図中、２７、２８は側面カバー１３、１４に設けられる錠付きのラッチ、２７ａ、２８ａは上記ラッチ２７、２８が係脱自在に係止するべくカウンタウエイト１２に取り付けられるラッチ係り２７ａ、２８ａである。
【００１４】
叙述の如く構成されたものにおいて、左右の収納室１０、１１に収納される各種機器の点検や修理、部品交換等のメンテナンスを行う場合には、左右の側面カバー１３、１４を開き、地上あるいはクローラ２５の上面や昇降ステップ２６に乗った状態で作業することになるが、この場合に、左右の収納室１０、１１内には、地上にいる作業員が把持しやすい位置に左右の第一手摺り１７、１９が設けられていると共に、左右の収納室１０、１１の天井部２１、２３の左右外方側縁部には、クローラ２５の上面や昇降ステップ２６に乗った作業員が把持するための左右の第二手摺り２２、２４が設けられている。
この結果、左右の収納室１０、１１の側面カバー１３、１４を開いた状態で、地上から届く位置にある機器類のメンテナンス作業を行う場合、あるいは地上から届かない位置にある機器類のメンテナンス作業を行うべくクローラ２５の上面や昇降ステップ２６を昇降する場合、あるいはクローラ２５の上面や昇降ステップ２６に乗ってメンテナンス作業を行う場合には、前記第一手摺り１７、１９や第二手摺り２２、２４を把持することにより安定した姿勢でのメンテナンス作業や昇降を行うことができる。
【００１５】
この様に、本実施の形態にあっては、側面カバー１３、１４を開放した状態で作業員が把持するための第一、第二の手摺り１７、１９、２２、２４が設けられていて、収納室１０、１１内のメンテナンス作業や昇降を安定した姿勢で容易に行えることになるが、この場合に、第一手摺り１７、１９は収納室１０、１１内に設けられており、また第二手摺り２２、２４は天井部２１、２３の外周縁部よりも機体外方に突出しないように設けられているため、これらの手摺り１７、１９、２２、２４が周辺物や作業員に当たって邪魔になってしまうことを、確実に回避できる。
【００１６】
しかもこのものにおいて、第一手摺り１７、１９は、作業員が地上から把持しやすい位置に設けられているためクローラ２５に対しても近い位置となるが、このものは収納室１０、１１内に設けられていて油圧ショベル１の作業中には閉状態の側面カバー１３、１４によってカバーされているから、クローラ２５に付着した泥等が第一手摺り１７、１９まで付着してしまうような不具合がない。
また、第一手摺り１７、１９は、掴み部１７ｂ、１９ｂが垂直方向を向いているため、収納室１０、１１の開口１０ａ、１１ａの近傍に設けられていてもメンテナンス作業の邪魔にならず、しかもこのものは、掴み部１７ｂ、１９ｂの基端側が取付ブロック１７ａ、１９ａを介して機体側に取り付けられる片持ち構造のものであるから、車体側への取付スペースを小さくできるという利点がある。
【００１７】
一方、第二手摺り２２、２４は、収納室１０、１１の天井部２１、２３の機体外方側外縁部に水平状に配されているため、メンテナンス作業を行う作業員が把持しやすく、また、メンテナンス作業の邪魔になる惧れもないが、さらにこの第二手摺り２２、２４は天井部２１、２３の外周縁部から機体外方に突出しないため、側面カバー１３、１４の上部を機体内方に大きく湾曲させて手摺りのスペースを確保しなくても側面カバー１３、１４の外側面よりも第二手摺り２１、２３が突出しない構成にすることができ、その分、収納室１０、１１の収納スペースを広く確保できる。
しかも、左側第二手摺り２２は、左側天井部２１の外周縁部を構成する部材をそのまま手摺りとしたものであるから、専用の手摺り用部材を別途用意する必要もなく、また手摺りの取付け部品も取付け作業も不要であって、コスト的にも有利である。
【図面の簡単な説明】
【図１】フロントアタッチメントの一部を省略した油圧ショベルの平面図である。
【図２】フロントアタッチメントの一部を省略した油圧ショベルの側面図である。
【図３】図１のＡ−Ａ矢視図である。
【図４】図１のＢ−Ｂ矢視図である。
【図５】（Ａ）は図１のＸ部の天井部を切欠いた平面図、（Ｂ）は（Ａ）のＣ−Ｃ矢視図である。
【図６】（Ａ）は図１のＹ部の天井部を切欠いた平面図、（Ｂ）は（Ａ）のＤ−Ｄ矢視図である。
【図７】左側面カバーを開放した状態を示す斜視図である。
【図８】右側面カバーを開放した状態を示す斜視図である。
【図９】（Ａ）、（Ｂ）は第一手摺りの正面図、側面図、（Ｃ）、（Ｄ）は他例を示す第一手摺りの正面図である。
【符号の説明】
１    油圧ショベル
２    下部走行体
３    上部旋回体
１０    左側収納室
１１    右側収納室
１３    左側面カバー
１４    右側面カバー
１７    左側第一手摺り
１９    右側第一手摺り
２１    左側天井部
２２    左側第二手摺り
２３    右側天井部
２３ａ  切欠き部
２４    右側第二手摺り
２５    クローラ
２６    昇降ステップ
【図１】
2004190276.tif 000003
【図２】
2004190276.tif 000004
【図３】
2004190276.tif 000005
【図４】
2004190276.tif 000006
【図５】
2004190276.tif 000007
【図６】
2004190276.tif 000008
【図７】
2004190276.tif 000009
【図８】
2004190276.tif 000010
【図９】
2004190276.tif 000011